【事件の表示】
　特許第３１２６７８３号「田植機」の請求項１に係る特許に対する特許異議の申立てについて、次のとおり決定する。
【結　論】
　訂正を認める。
　特許第３１２６７８３号の請求項１に係る特許を取り消す。
【理　由】
１．手続きの経緯
　特許第３１２６７８３号の請求項１に係る発明についての出願は、平成４年１月２４日に特許出願され、平成１２年１１月２日にその特許権の設定登録がなされ、その後、ヤンマー農機　株式会社　より特許異議の申立がなされ、取り消しの理由が通知され、その指定期間内である平成１４年９月６日に訂正請求がなされたものである。
２．訂正の適否についての判断
（１）訂正の内容
ア．訂正事項ａ
　特許明細書の【特許請求の範囲】の欄の第２３〜２４行の「構成してある」を、次のように訂正する。
「構成してあるとともに、
　前記苗のせ台（７）側に設けられている接当アーム（３０）を、その作動軌跡が側面視で植付伝動ケース（４）と重合する状態で、植付伝動ケース（４）の横側方に位置させて配設してある」
イ．訂正事項ｂ
　特許明細書の【課題を解決するための手段】の欄の第１５行の「構成した」を、次のように訂正する。
「構成してあるとともに、
　前記苗のせ台側に設けられている接当アームを、その作動軌跡が側面視で植付伝動ケースと重合する状態で、植付伝動ケースの横側方に位置させて配設した」
（「訂正請求書」の「（３）訂正事項」では、特許明細書の【課題を解決するための手段】の欄の第１５行の「構成した」に対応する訂正文の末尾を「‥‥‥配設してある」としているが、全文訂正明細書の当該箇所の記載から、上記のように訂正文の末尾は「‥‥‥配設した」となるものと判断した。）
（２）訂正の目的の適否、新規事項の有無、及び特許請求の範囲の拡張・変更の存否
　上記訂正事項ａは、本件図面の図４から把握される付加的構成要件を、請求項１に加えるものであるから、特許請求の範囲の減縮を目的とした明細書の訂正に該当し、上記訂正事項ｂは、上記訂正事項ａと整合を図るものであるから、明りょうでない記載の釈明を目的とした明細書の訂正に該当し、いずれも、新規事項の追加に該当せず、実質上特許請求の範囲を拡張し、又は変更するものではない。
（３）むすび
　上記訂正は、特許法第１２０条の４第３項において準用する平成６年法律第１１６号による改正前の特許法第１２６条第１項ただし書、第２項及び第３項の規定に適合するので、この訂正を認める。
３．特許異議の申立てについての判断
（１）申立ての理由の概要
　特許異議申立人　ヤンマー農機　株式会社　は、
　甲第１号証：特開平２−２６１３０７号公報
　甲第２号証：実願昭６３−１２３２５９号（実開平２−４４９２２号）のマイクロフイルム
を提出して、特許第３１２６７８３号の請求項１に係る発明は、本件出願前に日本国内において頒布された刊行物に記載された発明に基いてその発明の属する技術の分野における通常の知識を有する者が容易に発明をすることができたものであるから、請求項１に係る発明の特許は特許法第２９条第２項の規定により特許を受けることができないものであり、請求項１に係る発明についての特許は拒絶の査定をしなければならない特許出願に対してされたものであるから、特許を取り消すべき旨主張している。
（２）請求項１に係る発明
　本件特許第３１２６７８３号の請求項１に係る発明は、訂正明細書の特許請求の範囲の請求項１に記載された事項により特定される以下のとおりのものである。
　「【請求項１】苗のせ台（７）に載置された苗を該苗のせ台（７）の下端部から植付機構（８）で取り出して圃場に植付ける作動を行うと共に、この植付け作動時に横送り機構（Ａ）で苗のせ台（７）を横方向に往復作動させ、この作動によって苗のせ台（７）が横移動ストロークエンドに達する毎に縦送り装置（９）で苗のせ台（７）に載置された苗を所定量ずつ下端側に向けて送る作動を行うよう苗植付装置（２）が構成されている田植機であって、
　前記苗植付装置（２）に備えた植付伝動ケース（４）の横一側外方に突出させて螺軸（１８）を配置し、この螺軸（１８）のケース外への突出部分に形成された往復螺旋溝（２０）に対して苗のせ台（７）に連結されたコマ部材（２１）を前記植付伝動ケース（４）の外側で係合させることで螺軸（１８）の回転により苗のせ台（７）を横方向に往復移動させるよう前記横送り機構（Ａ）を構成し、この横送り機構（Ａ）による横送り駆動速度を変更する変速機構（１７）は前記植付伝動ケース（４）に内装し、
　又、この植付伝動ケース（４）の前記螺軸（１８）を突出させて配設した側と同じ側の横一側外方にのみ回転軸（２７）を突出配置するとともに、この回転軸（２７）の突出端側を前記植付伝動ケース（４）の突出箇所から離れた位置で支持し、
　この回転軸（２７）上の軸線方向で離れた二位置に、苗のせ台（７）が横移動範囲の各横移動ストロークエンドに達すると、その苗のせ台（７）側に設けられている接当アーム（３０）に接当する左右一対の回転カム（２９）を設けて、苗のせ台（７）が横移動ストロークエンドに達する毎に、前記回転カム（２９）に接当アーム（３０）が接当して前記縦送り装置（９）を駆動するように構成してあるとともに、
　前記苗のせ台（７）側に設けられている接当アーム（３０）を、その作動軌跡が側面視で植付伝動ケース（４）と重合する状態で、植付伝動ケース（４）の横側方に位置させて配設してある田植機。」
（３）刊行物１〜刊行物３に記載の事項
Ａ．当審が通知した取消しの理由に引用された刊行物１（甲第１号証：特開平２−２６１３０７号公報）には、以下の記載がある。
Ａ−ア．「（イ） 産業上の利用分野
　本発明は、乗用田植機における植付部伝動構造に関するものである。」（第１頁右下欄第１３〜１５行。）
Ａ−イ．「本発明では、乗用田植機の植付部に設ける植付駆動ケースにおいて、同植付駆動ケースの一側には苗取り量の調節を行う横送り切換ギヤケースを外装すると共に、同植付駆動ケースの他側には苗載台を横送りする横送りネジ及び苗を縦送りする縦送りカム軸をそれぞれ連結し、」（第２頁左上欄第１５〜右上欄第２行。）
Ａ−ウ．「苗載台の左右方向への移動量を変更して苗取量を調節する場合は、植付駆動ケースの一側に連結する横送り切換ギヤケースを取出して、歯車比を変更することにより横送り軸及び横送りネジの回転速度を変更しながら、これにより横送りネジを介して苗載台を一定量づつ移動させるものである。」（第２頁右上欄第１９〜左下欄第５行。）
Ａ−エ．「また、横送りネジと縦送りカム軸が植付駆動ケースの他側にまとめて位置するために、入力軸の偏心を含めて重量配分が良好となり、さらに、軸受部がサイドフレーム近傍に位置するので植付フレームが機能的に構成できるものである。」（第２頁右下欄第４〜８行。）
Ａ−オ．「植付部（Ｃ）は、上記植付フレーム（２９）の上方に配設した苗載台（３３）上の苗を植付駆動ケース（２２）の後部に設けた植付機構部（３４）の作動により圃場に植付けるようにしている。
　（３５）は植付駆動ケース（２２）の前部に、機体前後方向に設ける入力軸で、後端に駆動ベベルギヤ（３６）を固着している。（３７）は植付駆動ケース（２２）内に横方向に設ける植付主軸で、中央に従動ベベルギヤ（３８）を固着して前記駆動ベベルギヤ（３６）と噛合自在となっている。（３９）は植付主軸（３７）の左側に軸支する植付主軸スプロケットで、上記植付主軸（３７）は左右両側をボールベアリング（４０−１）（４０−２）により回転自在に支持されている。そして、植付主軸（３７）の右端は、植付駆動ケース（２２）の外側に突出しながら、横送り駆動歯車（４１）を装着している。
　また、（４２）は植付主軸（３７）と平行に位置する横送り軸で、右端に横送り従動歯車（４３）を装着している。
　そして、上記横送り駆動歯車（４１）と横送り従動歯車（４３）とは、植付駆動ケース（２２）の右側（ａ）に外装された横送り切換ギヤケース（４４）に内装されている。また、横送り軸（４２）は左右両側をボールベアリング（４５−１）（４５−２）により回転自在に支持されている。そして、横送り軸（４２）の左側には苗載台（３３）を左右に横送りする横送りネジ（４６）を連結していると共に、同横送り軸（４２）の中央には縦送り駆動ギヤ（４７）を軸支している。また、（４８）は横送り軸（４２）に平行して位置する縦送り駆動軸で、右側に前記縦送り駆動ギヤ（４７）に噛合する縦送り従動ギヤ（４９）を軸支している。そして、同縦送り駆動軸（４８）の右側には連結継手（５０−１）（５０−２）を介して苗載台（３３）の苗を縦送りする縦送りカム軸（５１）を連結している。
　また（５２）は縦送りカム軸（５１）に一体的に突設する縦送りカムである。また、縦送りカム軸（５１）の左端はボールベアリング（５３−１）により回転自在に支持されている。縦送り駆動軸（４８）の両端はボールベアリング（５２−１）（５２−２）により回転自在に支持されている。
　そして、上記横送りネジ（４６）及び縦送りカム軸（５１）は植付駆動ケース（２２）の左側（ｂ）位置に連結されているものである。」（第４頁左上欄第５〜左下欄第７行。）
Ａ−カ．「苗載台（３３）の左右移動量を変更して苗取量を調節する場合は、植付駆動ケース（２２）の右側面（ａ）に連結する横送り切換ギヤケース（４４）を取出して、横送り駆動歯車（４１）及び横送り従動歯車（４３）の歯車比を変更して再度組付けることにより、横送り軸（４２）及び横送りネジ（４６）の回転速度を変更する。これにより、横送りネジ（４６）に連動連結する苗載台（３３）の移動量が変更させるものである。」（第５頁右下欄第９〜１７行。）
Ａ−キ．「また、横送りネジ（４６）と縦送りカム軸（５１）が植付駆動ケース（２２）の左側（ｂ）にまとめて位置するために、入力軸（３５）の偏心を含めて重量配分が良好となり、さらに、軸受部がサイドフレーム（９５）近傍に位置するので植付フレーム（２９）が機能的に構成できるものである。」（第６頁左上欄第１４〜１９行。）
Ｂ．当審が通知した取消しの理由に引用された刊行物２（実願昭６２−３４３３４号（実開昭６３−１４０８１９号）のマイクロフイルム）には、以下の記載がある。
Ｂ−ア．「〔産業上の利用分野〕
　本考案は、苗植装置における苗載台の横送速度を多段変速するための装置の構造に関する。」（第２頁第１〜３行。）
Ｂ−イ．「〔従来の技術とその問題点〕
　従来から、苗植装置における苗載台を適宜速度にて横送りしながら、当該苗載台の苗マットを植付機構にて分割して圃場に植付けすることが行われている。
　その場合、植付機構による一回当たりの苗マットの横幅方向の分割量、ひいては圃場面に植付ける一株当たりの苗数を増減するために、苗載台の横送り速度を変更するのであるが、苗マットは通常苗載台の横送り移動端において、当該苗載台の下端方向に強制的に縦送りさせるから、そのタイミングと合せるため、前記苗載台の横送り速度の変速を、当該苗載台が横送りの最も端に寄った位置にあるときのみ可能とするように構成しなければならない。」（第２頁第４〜１８行。）
Ｂ−ウ．「前記連結パイプ１８と平行状に配設され、且つ伝動ケース１６外に配設される横送軸４３は、伝動ケース１６内のキーシフト式の歯車列から成る変速機構４４により回転するように一端を伝動ケース１６内で軸支され、横送軸４３の他端は連結パイプ１８の他端又は植付伝動ケース１９の基部から突出する板状支持アーム４５に軸支されており、横送軸４３に形成した往復ねじ溝４６に係合する船型キー４７を備えた滑り子４８に、苗載台２２の裏面下端の下部レール３０に固着した三角形状のブラケット５０をねじ５１等を介して着脱自在に連結し、前記ロータリ式の植付機構２３の回転に同期させて苗載台２２を左右往復横送りするものである。」（第９頁第１２〜第１０頁第５行。）
Ｂ−エ．「さらに、伝動ケース１６に回動自在に装着された軸５３の左右両端に送りカム５４，５４を設け、伝動ケース１６内にて軸５３に取付くカム５６が横送軸４３端部のカム５７の回転により一定角度だけ往復回動するように構成する一方、苗載台２２の裏面下部に縦送り軸５８を軸支し、該縦送り軸５８にはこれを一方向のみに一ピッチづつ間欠回動する一方向回転クラッチ付き従動カム５９を設けて、苗載台の横送り左右両終端で前記一方の送りカム５４が従動カム５９に接当押圧することにより縦送り軸５８を間欠回動させる。
　この縦送り軸５８及びこれと平行に配設した回転軸６０には、縦送り体６１を被嵌し、両軸５８，６０に巻掛けたベルトにて同期して回転させることにより、前記各縦送り体６１にて苗載台２２上の苗マットを下端の苗取出し板３１方向に縦送りするように構成する。」（第１０頁第１９〜第１１頁第１５行。）
Ｂ−オ．「そして、前記苗載台２２の横送りの速度を変速する歯車列から成る変速機構４４は、第５図に示すごとく、駆動側の軸３９に係合する３枚の駆動側歯車列６２と、これに常時噛合う３枚の従動歯車列６３と、該従動歯車列６３の各歯車が回転自在に被嵌する従動軸である横送軸４３の軸線に沿ったキー溝６４に摺動自在に嵌るキー体６５と、該キー体６５を移動する変速シフタ６６とから成り、キー体６５をその下面に装着した板ばね体６７にて半径外向き付勢し、変速シフタ６６におけるシフタ環６８を介してキー体６５を前後移動させ、キー体６５の係合部が前記従動歯車列６３における任意の歯車の内径係合溝に選択的に嵌ることにより、横送軸４３の回転速度が増減し、その往復ねじ溝４６に係合する船型キー付き滑り子４８の横移動速度を増減する。」（第１１頁第１６〜第１２頁第１１行。）
Ｃ．周知技術を示す刊行物３（実願昭５７−５６２５１号（実開昭５８−１５８６３２号）のマイクロフイルム）には、以下の記載がある。
Ｃ−ア．「本考案は、田植機において左右に往復して横送りされる苗載台上の苗マットを、苗載台の横送りの終端部において一ピッチづつ間欠的に縦送りする装置に関するものであり、」（第１頁第１８〜第２頁第１行。）
Ｃ−イ．「縦送駆動軸（３０）は苗載台（１６）裏面とこれに略平行に対面させた伝動ケ−ス（１１）外面との間に苗載台（１６）の左右長手と略平行に配置され、伝動ケース（１１）の一側外面に突設する板状等のブラケット（４３）に前記縦送駆動軸（３０）の一端を軸支し、このブラケット（４３）と対峙する伝動ケース（１１）の他側膨出部（１１）′に前記縦送駆動軸（３０）の他端を軸支する。
　従って、縦送駆動軸（３０）は苗載台（１６）と伝動ケース（１１）とその膨出部（１１）′とブラケット（４３）とで囲まれていることになる。また縦送駆動軸（３０）には、苗載台（１６）の横送り距離を隔てて左右一対のホロアカム（３１）（３１）を前記膨出部（１１）′とブラケット（４３）との間で固着する一方、苗載台（１６）の裏面下部に縦送軸（３２）を苗載台（１６）と平行に軸支し、該縦送軸（３２）には一方向の動きによってのみ縦送軸（３２）を同一方向に一ピッチづつ間欠回転するようにした送り力ム（３３）を設けて、苗載台（１６）の横送りの左右終端で、前記ホロアカム（３１）（３１）の一方が送りカム（３３）に接当することにより、縦送軸（３２）を矢印方向に間欠回転して、この縦送軸（３２）に取付けた爪車（３４）等にて、苗載台（１６）上の苗マットを縦送りするように構成されている。」（第４頁第５〜第５頁第５行。）
（４）対比・判断
　「Ａ−ア．」〜「Ａ−キ．」の摘記事項及び第１図〜第８図から判断して、刊行物１には、
「植付フレーム（２９）の上方に配設した苗載台（３３）上の苗を植付駆動ケース（２２）の後部に設けた植付機構部（３４）の作動により圃場に植付けるよう植付部（Ｃ）が構成されている乗用田植機であって、植付駆動ケース（２２）内に横方向に設ける植付主軸（３７）と平行に位置する横送り軸（４２）の左側には苗載台（３３）を左右に横送りする横送りネジ（４６）を連結していると共に、横送り軸（４２）に平行して位置する縦送り駆動軸（４８）の左側には連結継手（５０−１）（５０−２）を介して苗載台（３３）の苗を縦送りする縦送りカム軸（５１）を連結し、縦送りカム軸（５１）の左端はボールベアリング（５３−１）により回転自在に支持し、縦送りカム軸（５１）に一体的に突設する縦送りカム（５２）を設ける一方、植付主軸（３７）の右端は、植付駆動ケース（２２）の外側に突出しながら、横送り駆動歯車（４１）を装着し、横送り軸の右端に横送り従動歯車（４３）を装着し、上記横送り駆動歯車（４１）と横送り従動歯車（４３）とは、植付駆動ケース（２２）の右側（ａ）に外装された横送り切換ギヤケース（４４）に内装されている乗用田植機。」
が記載されている。（「‥‥‥縦送り駆動軸（４８）の左側には連結継手（５０−１）（５０−２）を介して‥‥‥」は、図２から判断して、もとの記載の「‥‥‥縦送り駆動軸（４８）の右側には連結継手（５０−１）（５０−２）を介して‥‥‥」（（Ａ−オ．）参照。）に誤記があったものとして改めている。）
　そして、横送り切換ギヤケース（４４）に内装されている横送り駆動歯車（４１）と横送り従動歯車（４３）とは、「歯車比を変更して再度組付けることにより、横送り軸（４２）及び横送りネジ（４６）の回転速度を変更」（（Ａ−カ．）参照。）するための構成となっている。
　また、第１図及び第４図より、苗載台（３３）上の苗を植付機構部（３４）の作動により圃場に植付ける、該植付機構部（３４）の作動位置が、「苗載台の下端部から」であることは明らかである。
　また、苗載台（３３）を左右に横送りするのは、「植付け作動時」であることは、当業者に明らかなことである。（刊行物２の「前記ロータリ式の植付機構２３の回転に同期させて苗載台２２を左右往復横送りするものである。」（Ｂ−ウ．）参照。）
　また、苗載台（３３）の苗を縦送りするのは、「苗載台（３３）が横移動ストロークエンドに達する毎」であることも当業者に明らかなことである。（刊行物２の「苗マットは通常苗載台の横送り移動端において、当該苗載台の下端方向に強制的に縦送りさせる」（Ｂ−イ．）及び「苗載台の横送り左右両終端で前記一方の送りカム５４が従動カム５９に接当押圧することにより縦送り軸５８を間欠回動させる。」（Ｂ−エ．）参照。）
　また、第２図より、苗載台（３３）を左右に横送りする横送りネジ（４６）が「往復螺旋溝をネジとして設けた」ものであることも当業者には明らかである。（刊行物２の「横送軸４３に形成した往復ねじ溝４６」（Ｂ−ウ．）参照。）
　さらに、第２図より、縦送りカム軸（５１）に一体的に突設する縦送りカム（５２）は、「軸線方向で離れた二位置に左右一対設けられている」ものと判断される。
　そこで、請求項１に係る発明（以下本件発明という。）と、刊行物１に記載されたものを対比すると、刊行物１に記載されたものの「苗載台（３３）」、「植付機構部（３４）」、「植付部（Ｃ）」、「植付駆動ケース（２２）」、「横送りネジ（４６）」、「縦送りカム軸（５１）」、「縦送りカム（５２）」はそれぞれ本件発明の「苗のせ台（７）」、「植付機構（８）」、「苗植付装置（２）」、「植付伝動ケース（４）」、「螺軸（１８）」、「回転軸（２７）」、「回転カム（２９）」に相当し、刊行物１に記載されたものの「横送り駆動歯車（４１）と横送り従動歯車（４３）」は本件発明の「変速機構（１７）」に機能的にみて対応するから、本件発明と、刊行物１に記載されたものとは、
「苗のせ台に載置された苗を、該苗のせ台の下端部から植付機構で取り出して圃場に植付ける作動を行うと共に、この植付け作動時に、苗のせ台を横方向に往復作動させ、この作動によって苗のせ台が横移動ストロークエンドに達する毎に、苗のせ台に載置された苗を縦送りするよう苗植付装置が構成されている田植機であって、
　前記苗植付装置に備えた植付伝動ケースの横一側外方に突出させて螺軸を配置し、この螺軸のケース外への突出部分に往復螺旋溝を形成し、横送り駆動速度を変更する変速機構を設け、
　又、この植付伝動ケースの前記螺軸を突出させて配設した側と同じ側の横一側外方にのみ回転軸を突出配置するとともに、この回転軸の突出端側を前記植付伝動ケースの突出箇所から離れた位置で支持し、
　この回転軸上の軸線方向で離れた二位置に左右一対の回転カムを設けて、苗のせ台が横移動ストロークエンドに達する毎に、その苗のせ台に載置された苗を縦送りするように構成してある田植機。」の点で一致し、下記１〜３の点で相違する。
相違点１
　本件発明が、「苗のせ台（７）を横方向に往復作動させる横送り機構（Ａ）を備え、該横送り機構（Ａ）が、苗植付装置（２）に備えた植付伝動ケース（４）の横一側外方に突出させて螺軸（１８）を配置し、この螺軸（１８）のケース外への突出部分に形成された往復螺旋溝（２０）に対して苗のせ台（７）に連結されたコマ部材（２１）を前記植付伝動ケース（４）の外側で係合させることで螺軸（１８）の回転により苗のせ台（７）を横方向に往復移動させるよう構成し」たのに対し、刊行物１に記載されたものは、「植付部（Ｃ）に備えた植付駆動ケース（２２）の左側に、苗載台（３３）を左右に横送りする横送りネジ（４６）を連結配置した」ものの、横送りネジ（４６）と組み合わせて横送り機構を構成する横送りネジ（４６）より駆動側からみて末端側の苗載台（３３）までの動力伝達のための具体的構成が省略され示されていない点。
相違点２
　本件発明が、「苗のせ台（７）が横移動ストロークエンドに達する毎に、苗のせ台（７）に載置された苗を所定量ずつ下端側に向けて送る作動を行う縦送り装置（９）を備え、さらに植付伝動ケース（４）の螺軸（１８）を突出させて配設した側と同じ側の横一側外方にのみ回転軸（２７）を突出配置するとともに、この回転軸（２７）の突出端側を前記植付伝動ケース（４）の突出箇所から離れた位置で支持し、この回転軸（２７）上の軸線方向で離れた二位置に、苗のせ台（７）が横移動範囲の各横移動ストロークエンドに達すると、その苗のせ台（７）側に設けられている接当アーム（３０）に接当する左右一対の回転カム（２９）を設けて、苗のせ台（７）が横移動ストロークエンドに達する毎に、前記回転カム（２９）に接当アーム（３０）が接当して前記縦送り装置（９）を駆動するように構成してあるとともに、前記苗のせ台（７）側に設けられている接当アーム（３０）を、その作動軌跡が側面視で植付伝動ケース（４）と重合する状態で、植付伝動ケース（４）の横側方に位置させて配設してある」のに対し、刊行物１に記載されたものは、「植付部（Ｃ）に備えた植付駆動ケース（２２）の左側には連結継手（５０−１）（５０−２）を介して苗載台（３３）の苗を縦送りする縦送りカム軸（５１）を連結し、縦送りカム軸（５１）に縦送りカム（５２）を一体的に突設するものである」ものの、縦送りカム（５２）より駆動側からみて末端側の構成が省略され示されていない点。
相違点３
　本件発明が、「横送り機構（Ａ）による横送り駆動速度を変更する変速機構（１７）を植付伝動ケース（４）に内装し」ているのに対し、刊行物１に記載されたものの横送り駆動速度を変更する変速機構は「横送り駆動歯車（４１）と横送り従動歯車（４３）とが、植付駆動ケース（２２）の右側（ａ）に外装された横送り切換ギヤケース（４４）に内装されている」ものである点。
　以下、上記相違点について検討する。
（１）相違点１について
　刊行物２には、苗植装置における苗載台を横送りするとともに、横送り移動端において、苗マットを苗載台の下端方向に強制的に縦送りする仕組みが記載されており、その左右往復横送りは、「横送軸４３に形成した往復ねじ溝４６に係合する船型キー４７を備えた滑り子４８に、苗載台２２の裏面下端の下部レール３０に固着した三角形状のブラケット５０をねじ５１等を介して着脱自在に連結し」（（Ｂ−ウ．）参照。）て行っている。そして、本件発明と、刊行物２に記載されたものを対比すると、刊行物２に記載の「苗載台２２」、「横送軸４３」、「往復ねじ溝４６」、「滑り子４８」は本件発明の「苗のせ台（７）」、「螺軸（１８）」、「往復螺旋溝（２０）」、「コマ部材（２１）」に相当し、また、刊行物１に記載されたものと、刊行物２に記載されたものを対比すると、刊行物２に記載の前記「横送軸４３」は、刊行物１に記載の「横送りネジ（４６）」にも相当する。
　したがって、相違点１に係る本件発明の構成は刊行物２に記載されている事項である。
　そうすると、本件発明が、「螺軸（１８）のケース外への突出部分に形成された往復螺旋溝（２０）に対して苗のせ台（７）に連結されたコマ部材（２１）を前記植付伝動ケース（４）の外側で係合させることで螺軸（１８）の回転により苗のせ台（７）を横方向に往復移動させるようにし」て横送り機構（Ａ）を構成した点は、刊行物１に記載された横送りネジ（４６）より駆動側から見て末端側の苗載台（３３）までの動力伝達のための具体的構成として、刊行物２記載の同じく駆動側から見て滑り子４８以下苗載台２２までの動力伝達のための構成を採用することにより、当業者が容易に想起し得たものである。
（２）相違点２について
　刊行物２には、苗植装置における苗載台を横送りするとともに、横送り移動端において、苗マットを苗載台の下端方向に強制的に縦送りする仕組みが記載されており、その縦送り装置は「縦送り軸５８及びこれと平行に配設した回転軸６０には、縦送り体６１を被嵌し、両軸５８，６０に巻掛けたベルトにて同期して回転させることにより、前記各縦送り体６１にて苗載台２２上の苗マットを下端の苗取出し板３１方向に縦送りするように構成」（（Ｂ−エ．）参照。）したものである。また、その縦送り装置の駆動は、「苗載台２２の裏面下部に縦送り軸５８を軸支し、該縦送り軸５８にはこれを一方向のみに一ピッチづつ間欠回動する一方向回転クラッチ付き従動カム５９を設けて、苗載台の横送り左右両終端で一方の送りカム５４が従動カム５９に接当押圧することにより縦送り軸５８を間欠回動させ」（（Ｂ−エ．）参照。）て行っている。そして、本件発明と、刊行物２に記載されたものを対比すると、刊行物２記載の「縦送り軸５８及びこれと平行に配設した回転軸６０には、縦送り体６１を被嵌し、両軸５８，６０に巻掛けたベルトにて同期して回転させることにより、前記各縦送り体６１にて苗載台２２上の苗マットを下端の苗取出し板３１方向に縦送りするように構成したもの（縦送り装置）」、「苗載台２２」、「従動カム５９」、「送りカム５４」は、本件発明の「縦送り装置（９）」、「苗のせ台（７）」、「接当アーム（３０）」、「回転カム（２９）」に相当し、また、刊行物１に記載されたものと、刊行物２に記載されたものを対比すると、刊行物２記載の前記「送りカム５４」は刊行物１記載の「縦送りカム（５２）」にも相当する。
　したがって、相違点２に係る本件発明の構成は、「苗のせ台（７）側に設けられている接当アーム（３０）を、その作動軌跡が側面視で植付伝動ケース（４）と重合する状態で、植付伝動ケース（４）の横側方に位置させて配設してある」点を除いて、刊行物２に記載されている事項である。
　ところで、刊行物３には、苗植装置における苗載台を横送りするとともに、横送り移動端において、苗マットを苗載台の下端方向に強制的に縦送りする仕組みが記載されており、その縦送り装置は「苗載台（１６）の裏面下部に、苗載台（１６）と平行に軸支した縦送軸（３２）と、この縦送軸（３２）に取付けた爪車（３４）等にて、苗載台（１６）上の苗マットを縦送りするように構成」（（Ｃ−イ．）参照。）したものである。また、その縦送り装置の駆動は、「縦送駆動軸（３０）に、苗載台（１６）の横送り距離を隔てて左右一対のホロアカム（３１）（３１）を固着する一方、苗載台（１６）の裏面下部に縦送軸（３２）を苗載台（１６）と平行に軸支し、該縦送軸（３２）に一方向の動きによってのみ縦送軸（３２）を同一方向に一ピッチづつ間欠回転するようにした送り力ム（３３）を設けて、苗載台（１６）の横送りの左右終端で、前記ホロアカム（３１）（３１）の一方が送りカム（３３）に接当することにより、縦送軸（３２）を矢印方向に間欠回転して」（（Ｃ−イ．）参照。）行っている。また、刊行物３の第３図、第４図及び第５図から、苗載台（１６）側に設けられている送りカム（３３）を、その作動軌跡が側面視で伝動ケース（１１）の膨出部（１１）′と重合する状態で、伝動ケース（１１）の膨出部（１１）′の横側方に位置させて配設してあることが把握される。そして、「伝動ケース（１１）の膨出部（１１）′」は伝動ケースの一部であり、伝動ケースに相違ないものであるから、本件発明と、刊行物３に記載されたものを対比すると、刊行物３記載の「苗載台（１６）の裏面下部に、苗載台（１６）と平行に軸支した縦送軸（３２）と、この縦送軸（３２）に取付けた爪車（３４）等にて、苗載台（１６）上の苗マットを縦送りするように構成したもの（縦送り装置）」、「苗載台１６」、「送り力ム（３３）」、「ホロアカム（３１）（３１）」、「伝動ケース（１１）の膨出部（１１）′」は、本件発明の「縦送り装置（９）」、「苗のせ台（７）」、「接当アーム（３０）」、「回転カム（２９）」、「植付伝動ケース（４）」に相当し、また、刊行物１に記載されたものと、刊行物３に記載されたものを対比すると、刊行物３記載の前記「ホロアカム（３１）（３１）」は刊行物１記載の「縦送りカム（５２）」にも相当する。
　したがって、相違点２に係る本件発明の構成のうち、「苗のせ台（７）側に設けられている接当アーム（３０）を、その作動軌跡が側面視で植付伝動ケース（４）と重合する状態で、植付伝動ケース（４）の横側方に位置させて配設してある」点は、刊行物３に記載されている事項である。そしてまたこの構成は苗マットを苗載台の下端方向に強制的に縦送りする仕組みのなかで周知技術に属するものである。
　そうすると、本件発明が、「苗のせ台（７）側に設けられている接当アーム（３０）に接当する左右一対の回転カム（２９）を設けて、苗のせ台（７）が横移動ストロークエンドに達する毎に、前記回転カム（２９）に接当アーム（３０）が接当して縦送り装置（９）を駆動するように構成してあるとともに、前記苗のせ台（７）側に設けられている接当アーム（３０）を、その作動軌跡が側面視で植付伝動ケース（４）と重合する状態で、植付伝動ケース（４）の横側方に位置させて配設してある」点は、刊行物１に記載された左右一対の回転カム（２９）より駆動側から見て末端側の構成として、刊行物２記載の同じく駆動側から見て従動カム５９以下の構成及び周知技術である刊行物３記載の苗載台（１６）側に設けられている送りカム（３３）を、その作動軌跡が側面視で伝動ケース（１１）の膨出部（１１）′と重合する状態で、伝動ケース（１１）の膨出部（１１）′の横側方に位置させて配設してある構成を採用することにより、当業者が容易に想起し得たものである。
（３）相違点３について
　刊行物２には、苗植装置における苗載台を横送りするとともに、横送り移動端において、苗マットを苗載台の下端方向に強制的に縦送りする仕組みが記載されており、その苗載台の横送り速度の変速は、「伝動ケース１６内のキーシフト式の歯車列から成る変速機構４４により」（（Ｂ−ウ．）参照。）行っている。そして、本件発明と、刊行物２に記載されたものを対比すると、刊行物２記載の「伝動ケース１６」、「変速機構４４」は、本件発明の「植付伝動ケース（４）」、「変速機構（１７）」に相当する。
　したがって、相違点３に係る本件発明の構成は刊行物２に記載されている事項である。
　そうすると、本件発明が、「横送り機構（Ａ）による横送り駆動速度を変更する変速機構（１７）を植付伝動ケース（４）に内装し」た点は、刊行物１記載の「横送り駆動歯車（４１）と横送り従動歯車（４３）とが、植付駆動ケース（２２）の右側（ａ）に外装された横送り切換ギヤケース（４４）に内装されている」構成に換えて、刊行物２記載の苗載台の横送り速度の変速を「伝動ケース１６内のキーシフト式の歯車列から成る変速機構４４により」行う構成を採用することにより、当業者が容易に想起し得たものである。
　（５）むすび
　以上のとおりであって、請求項１に係る発明は、刊行物１及び刊行物２に記載された発明並びに刊行物３に記載された周知技術に基づいて当業者が容易に発明をすることができたものであるから、特許法第２９条第２項の規定により特許を受けることができない。
　したがって、請求項１に係る発明の特許は拒絶の査定をしなければならない特許出願に対してされたものである。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１０月３１日（２００２．１０．３１）
【訂正の要旨】
訂正の要旨
１．特許請求の範囲の減縮を目的として、
　特許明細書の【特許請求の範囲】の欄の第２３〜２４行の「構成してある」を、
「構成してあるとともに、
　前記苗のせ台（７）側に設けられている接当アーム（３０）を、その作動軌跡が側面視で植付伝動ケース（４）と重合する状態で、植付伝動ケース（４）の横側方に位置させて配設してある」と訂正する。
２．上記１．の特許明細書の特許請求の範囲の訂正と整合させるため、明りょうでない記載の釈明を目的として、
　特許明細書の【課題を解決するための手段】の欄の第１５行の「構成した」を、
「構成してあるとともに、
　前記苗のせ台側に設けられている接当アームを、その作動軌跡が側面視で植付伝動ケースと重合する状態で、植付伝動ケースの横側方に位置させて配設した」と訂正する。
（５４）【発明の名称】
田植機
（５７）【特許請求の範囲】
　【請求項１】　苗のせ台（７）に載置された苗を該苗のせ台（７）の下端部から植付機構（８）で取り出して圃場に植付ける作動を行うと共に、この植付け作動時に横送り機構（Ａ）で苗のせ台（７）を横方向に往復作動させ、この作動によって苗のせ台（７）が横移動ストロークエンドに達する毎に縦送り装置（９）で苗のせ台（７）に載置された苗を所定量ずつ下端側に向けて送る作動を行うよう苗植付装置（２）が構成されている田植機であって、
　前記苗植付装置（２）に備えた植付伝動ケース（４）の横一側外方に突出させて螺軸（１８）を配置し、この螺軸（１８）のケース外への突出部分に形成された往復螺旋溝（２０）に対して苗のせ台（７）に連結されたコマ部材（２１）を前記植付伝動ケース（４）の外側で係合させることで螺軸（１８）の回転により苗のせ台（７）を横方向に往復移動させるよう前記横送り機構（Ａ）を構成し、
　この横送り機構（Ａ）による横送り駆動速度を変更する変速機構（１７）は前記植付伝動ケース（４）に内装し、
　又、この植付伝動ケース（４）の前記螺軸（１８）を突出させて配設した側と同じ側の横一側外方にのみ回転軸（２７）を突出配置するとともに、この回転軸（２７）の突出端側を前記植付伝動ケース（４）の突出箇所から離れた位置で支持し、
　この回転軸（２７）上の軸線方向で離れた二位置に、苗のせ台（７）が横移動範囲の各横移動ストロークエンドに達すると、その苗のせ台（７）側に設けられている接当アーム（３０）に接当する左右一対の回転カム（２９）を設けて、苗のせ台（７）が横移動ストロークエンドに達する毎に、前記回転カム（２９）に接当アーム（３０）が接当して前記縦送り装置（９）を駆動するように構成して
あるとともに、
　
前記苗のせ台（７）側に設けられている接当アーム（３０）を、その作動軌跡が側面視で植付伝動ケース（４）と重合する状態で、植付伝導ケース（４）の横側方に位置させて配置してある
【発明の詳細な説明】
　【０００１】
　【産業上の利用分野】
　本発明は、苗のせ台に載置された苗を該苗のせ台の下端部から植付機構で取り出して圃場に植付ける作動を行うと共に、この植付け作動時に横送り機構で苗のせ台を横方向に往復作動させ、この作動によって苗のせ台が横移動ストロークエンドに達する毎に縦送り装置で苗のせ台に載置された苗を所定量ずつ下端側に向けて送る作動を行うよう苗植付装置が構成されている田植機に関する。
　【０００２】
　【従来の技術】
　上記田植機において、従来では、例えば特開昭６２‐１０４５０５号公報に開示されるように、機体幅方向中央に位置する植付伝動ケースを左右に貫通する状態で螺軸を横架支承して、この螺軸の両端部を苗のせ台に連結し、植付伝動ケース内において螺軸に外嵌するコマ部材を回転駆動して、コマ部材と螺軸の外周面に形成した往復螺旋溝との係合作用により、苗のせ台を左右に往復横移動させるよう構成し、かつ、植付伝動ケースの左右両側部から縦送り装置の駆動用回転カムを突出配備する構成のものがあった。
　この従来構造のものは、例えば実開昭５９‐６４６１３号公報に示されるように、螺軸や縦送り駆動用の回転カムの全体を大きな植付伝動ケースに内装する構造のものに比べ、植付伝動ケースの小型化を図り得る点では有用なものである。
　【０００３】
　【発明が解決しようとする課題】
　ところが、上記前者の従来構造によると、螺軸の螺旋溝に係合するコマ部材が植付伝動ケースに内蔵されることから、この部位の点検や保守を行う際には植付伝動ケースを分解せねばならず改善の余地がある。又、上記後者の従来構造では伝動ケースに対して螺軸が横方向に往復移動する構造であることから、大きな負荷を受けながら移動する螺軸の安定した支持を可能にするため植付伝動ケースが螺軸を支持するために相当に大きなスパンを必要とし、植付伝動ケースの横幅を縮小にも限度があり、この点にも改善の余地があった。
　【０００４】
　本発明の目的は、植付伝動ケースの小型化を図りながら、横送り機構と縦送り装置とを点検、保守を良好に行い得る田植機を合理的に構成する点にある。
　【０００５】
　【課題を解決するための手段】
　本発明の特徴構成は、冒頭に記載した田植機において、前記苗植付装置に備えた植付伝動ケースの横一側外方に突出させて螺軸を配置し、この螺軸のケース外への突出部分に形成された往復螺旋溝に対して苗のせ台に連結されたコマ部材を前記植付伝動ケースの外側で係合させることで螺軸の回転により苗のせ台を横方向に往復移動させるよう前記横送り機構を構成し、
　この横送り機構による横送り駆動速度を変更する変速機構は前記植付伝動ケースに内装し、　又、この植付伝動ケースの前記螺軸を突出させて配設した側と同じ側の横一側外方にのみ回転軸を突出配置するとともに、この回転軸の突出端側を前記植付伝動ケースの突出箇所から離れた位置で支持し、
　この回転軸上の軸線方向で離れた二位置に、苗のせ台が横移動範囲の各横移動ストロークエンドに達すると、その苗のせ台側に設けられている接当アームに接当する左右一対の回転カムを設けて、苗のせ台が横移動ストロークエンドに達する毎に、前記回転カムに接当アームが接当して前記縦送り装置を駆動するように構成
してあるとともに、
　
前記苗のせ台側に設けられている接当アームを、その作動軌跡が側面視で植付伝動ケースと重合する状態で、植付伝動ケースの横側方に位置させて配設
　【０００６】
　【作用】
　上記特徴構成による本発明のものでは、従来例のように螺軸が横移動するものではなく、螺軸も植付伝動ケースの外方に配置されるので植付伝動ケースの横幅の縮小を行うにも無理がない。
　そして、上記特徴構成によると、植付伝動ケースの外方に突出させた螺軸の突出部分に形成された往復螺旋溝に対してコマ部材が係入するので、例えば、螺旋溝に対するコマ部材の係合部位を分解する場合でも従来例のように植付伝動ケースを分解しなくて済む。
　また、前記回転カムを取り付けた回転軸を、植付伝動ケースから離れた箇所で支持するようにして、植付伝動ケースの片側からのみ突出させている。したがって、この回転軸を植付伝動ケースに支承して左右両側に突出させる場合に比べて、植付伝動ケースの左右幅が小幅であるにも拘わらず、回転軸を大きなスパンで安定良く支持することができ、回転軸の軸受け部や回転軸そのものの強度アップを必要としない。
　このように回転軸の突出端側で支持を安定させることによって、植付伝動ケース側では回転軸を片持ち状に支持することができ、回転軸中間部を植付伝動ケースに支承する場合のような、植付伝動ケースに対する回転軸の貫通支持構造を必要とせず、植付伝動ケースでの貫通孔個数を少なくできる。　しかも、縦送り装置を駆動する前記回転軸の突出方向は、植付伝動ケースの前記螺軸を突出させて配設した側と同じ側の横一側外方であるから、この回転軸に備えた回転カムと苗載せ台に備えられた接当アームとの接当部の点検・保守も同じ側で行えるものとなる。
　また、横送り機構の横送り駆動速度を変更する変速機構は、さほど大きな左右幅を必要としないので、横送り軸の片側を支持する植付伝動ケースに内装状態で配設させられる。
　そして、植付伝動ケースから突出させた回転軸上の回転カムは、回転軸の軸線方向で離れた二位置に設けられ、苗のせ台が左右の各横移動ストロークエンドに達する毎に、左右何れかの回転カムに苗のせ台側の一つの接当アームが接当して縦送り装置を駆動するように構成されている。したがって、例えば、回転軸の突出端の一箇所にのみ回転カムを設けて、苗のせ台側に左右一対の接当アームを設けるような構成のものに比べ、左右の接当アームのそれぞれの動きを許すための一方向クラッチを左右それぞれに設ける、もしくは、左右の接当アームのそれぞれの動きに連動する中間伝動軸を用いる必要がない。
　【０００７】
　【発明の効果】
　従って、螺軸と回転軸との何れをも、その大部分が植付伝動ケースの外部へ突出する状態で設けたことにより、重量物となり易い植付伝動ケース自体は小型のもので構成することが可能となり、これによって植付伝動ケースの小型化および軽量化による合理的な構成の田植機が得られた。
　そして、螺軸もコマ部材も、植付伝動ケースの外方に突出させた螺軸の突出部分に配置されるので、螺旋溝に対するコマ部材の係合部位を分解する場合でも植付伝動ケースを分解しなくて済み、保守点検の手数を削減できる。
　また、植付伝動ケースの片側から突出された回転軸を植付伝動ケースから離れた箇所で支持して、植付伝動ケースの片側からのみ突出させるようにしたことにより、植付伝動ケースの左右幅が小幅であるにも拘わらず、回転軸を大きなスパンで安定良く支持することができる。そして、このように回転軸の突出端側で支持を安定させることによって、植付伝動ケース側では回転軸を片持ち状に支持するだけの支持構造でよく、回転軸中間部を植付伝動ケースに支承させる場合のような回転軸支承のための貫通孔の個数も少なくなり、植付伝動ケース側での軸受け部におけるシール構造も少なくて済む。
　しかも、横送り機構の往復螺旋溝とコマ部材との係合状態の点検、保守および、縦送り装置の回転カムと接当アームとの接当状態の点検、保守の何れも、植付伝動ケースの横側部のうちの同じ一側を作業用空間として有効に活用し得るので、泥中を歩いて前記植付伝動ケースの左右両側に回り込むような煩わしい手間を掛けずに能率良く行うことができる。
　また、横送り機構の横送り駆動速度を変更する変速機構は植付伝動ケースに内装状態で配設しても、ケースの大型化の要因となる螺旋軸や回転軸の大部分はケース外へ突出させているので、横送りの変速を行える機構を備えながらも、植付伝動ケースの大型化を招くことなく構成できた。
　そして、植付伝動ケースから突出させた回転軸上の回転カムは、回転軸の軸線方向で離れた二位置に設けられ、苗のせ台が左右の各横移動ストロークエンドに達する毎に、左右何れかの回転カムに接当アームが接当して縦送り装置を駆動するように構成されているので、接当アームの動きを所期どおりに働かせるための余分な一方向クラッチや、中間伝動軸を必要とせず、部品点数の削減による軽量化、低コスト化を図ることができる。
　【０００８】
　【実施例】
　以下、実施例を図面に基いて説明する。
　図４に乗用型田植機の後部を示している。この田植機は、乗用型走行機体の後部にリンク機構１を介して昇降自在並びに前後軸芯周りで左右ローリング自在に苗植付装置２を連結して構成してある。前記苗植付装置２は、リンク機構１の枢支ボス部材３に前後軸芯周りでローリング自在に連結される植付伝動ケース４に横方向にほぼ全幅に亘って配設される角パイプ状のアルミニューム引き抜き材からなるフレーム杆５を固定連結するとともに、このフレーム杆５に適宜間隔をあけて複数のフィードケース６を後方に向けて片持ち状に固定延出し、前記フレーム杆５に対して横方向に往復移動自在に苗のせ台７を支持してある。そして、前記フィードケース６の後部に左右両側に植付機構８を配設し、各植付機構８における植付爪８ａにより、苗のせ台７の下端部から一株づつ苗を取り出して圃場に植付けるよう構成してある。前記苗のせ台７の各条苗載置面７ａには、横移動ストロークエンドにおいて載置苗を所定量づつ植付機構８に向けて縦送りする突起付き無端回動ベルト式縦送り装置９を設けてある。前記各フィードケース６に形成したボス部１０により回動支軸１１を支承し、この回動支軸１１から一体延出した３個のアーム１２の端部に夫々接地フロート１３を枢支連結して配備してある。
　【０００９】
　次に、前記苗植付装置２に対する伝動系について説明する。図２に示すように、走行機体側から伝動軸１４及び植付伝動ケース４内のベベルギア機構１５を介して横向き入力軸１６に動力が伝えられ、この入力軸１６からギア式変速機構１７を介して植付伝動ケース４に横架支承され且つ該ケース４の左側横外方に突出する状態で配置した螺軸１８に動力を伝えるよう構成してある。この螺軸１８の外方端は、前記フレーム杆５から固設延出したブラケット１９により支承してある。図１、図３に示すように、この螺軸１８には外周面に往復螺旋溝２０を形成してあり、この螺旋溝２０に係合するコマ部材２１を内装した筒部材２２を外嵌し、苗のせ台７の裏面に固設のブラケット２３を介して連結固定した連結具２４を筒部材２２に横方向に一体移動するよう差し込み連結してピン２５により抜け止めして、螺軸１８の回転に伴い螺旋溝２０とコマ部材２１の係合作用により、苗のせ台７を所定ピッチで往復横移動するようにして横送り機構Ａを構成してある。
　【００１０】
　又、前記入力軸１６からギア伝動機構２６を介して横向き回転軸２７に動力を供給するよう構成してある。この回転軸２７は螺軸１８と同様に植付伝動ケース４に横架支承され且つ該ケース４の左側横外方に突出する状態で配置され、ブラケット２８により外方端部を支持するよう構成してある。この回転軸２７にはその途中部に左右一対の回転カム２９を取付け、この回転カム２９が、苗のせ台７の横移動ストロークエンドにおいて、前記縦送り装置９に連係される接当アーム３０を接当揺動させて突起付き無端回動ベルト９ａを所定量づつ回動して載置苗を所定量づつ縦送りするよう構成してある。尚、接当アーム３０は所定待機位置に復帰付勢するようバネ付勢してある。
　又、前記回転軸２７から伝動チェーン３１を介して中継横軸３２を回転駆動するよう構成し、この中継横軸３２から植付伝動ケース４の外方側において各フィードケース６の入力軸３４に動力が伝えられ、各フィードケース６内に配備されるチェーン伝動機構（図示せず）を介して各植付機構８に伝えられるよう伝動系を構成してある。
　【００１１】
　そして、螺軸１８に対する前記変速機構１７の操作具３６を、植付伝動ケース４における螺軸１８配設側とは反対側、つまり、右側横外方に配設してある。この変速機構１７は、図２に示すように、入力軸１６に径の異なる複数の駆動ギア３７を遊転外嵌するとともに、螺軸１８に各駆動ギア３７に咬合う複数の従動ギア３８を一体回転自在に外嵌装着し、入力軸１６の内部に軸芯方向にシフト操作自在並びに各駆動ギア３７に選択的に咬合係合自在なシフトキー３９を配設してある。そして、前記操作具３６によりこのシフトキー３９をスライド操作することで、互いに変速比の異なるいずれかの駆動ギア３７を選択的に入力軸１６と一体回転駆動させて変速操作できるよう構成してある。又、植付伝動ケース４の前記操作具３６配設側に、前記回動支軸１１を回動操作して接地フロート１３の支点位置を変更させ、植付爪８ａによる植付け深さを変更調節するため操作具としての植付け深さ調節レバー４０を設けてある。
　【００１２】
　尚、特許請求の範囲の項に図面との対照を容易にするために符号を記すが、該記入により本発明は添付図面の構成に限定されるものではない。
【図面の簡単な説明】
　【図１】
　苗植付装置の一部切欠背面図
　【図２】
　伝動系を示す切欠背面図
　【図３】
　横送り機構を示す背面図
　【図４】
　田植機後部の側面図
　【符号の説明】
　２　　苗植付装置
　４　　植付伝動ケース
　７　　苗のせ台
　８　　植付機構
　９　　縦送り装置
　１８　螺軸
　２０　螺旋溝
　２１　コマ部材
　２７　回転軸
　２９　回転カム
　３０　接当アーム
　Ａ　　横送り機構